(57)【要約】【課題】非常に簡便な構成にて近隣に住む住人と連携を図り、何らかの異常が発生したことを近隣に住む住人に対して確実に通知する。【解決手段】防犯システム１Ａの防犯受信器２０Ａは、検知センサ１０Ａｎによって送信される検知信号を受信したことに応じて、何らかの異常状態が検知されたことを通知する異常状態通知信号を生成し、生成した異常状態通知信号を無線信号として送信し、他の防犯システム１Ｂの防犯受信器２０Ｂから無線信号として送信される異常状態通知信号を受信したことに応じて、他の防犯システム１Ｂにおいて何らかの異常状態が発生したことを報知することで実現する。【選択図】図２
2008269500.tif 000002
【特許請求の範囲】
【請求項１】
何らかの異常状態を検知したことに応じて、検知信号を無線信号として送信する検知センサと、前記検知センサによって送信される検知信号を受信したことに応じて異常状態となったことを報知手段を介して報知する防犯受信器とを備え、それぞれ所定の距離内に存在し、防犯対象となる建物を含む所定の防犯領域内にそれぞれ設置される複数の防犯システムからなる近隣連携防犯システムであって、
前記防犯システムの防犯受信器は、前記検知センサによって送信される検知信号を受信したことに応じて、何らかの異常状態が検知されたことを通知する異常状態通知信号を生成する通知信号生成手段と、
前記通知信号生成によって生成された異常状態通知信号を無線信号として送信する送信手段と、
他の防犯システムの防犯受信器から無線信号として送信される異常状態通知信号を受信する受信手段と、
前記受信手段によって異常状態通知信号を受信したことに応じて、他の防犯システムにおいて何らかの異常状態が発生したことを報知するよう前記報知手段を制御する制御手段とを有すること
を特徴とする近隣連携防犯システム。
【請求項２】
前記防犯システムは、建物内と外部環境とを隔てるドア近傍に設置され、訪問者による操作に応じて訪問者が訪問したことを検知した訪問者検知信号を前記防犯受信器に送信するドアホンを備え、
前記通知信号生成手段は、前記ドアホンによって送信される訪問者検知信号を受信したことに応じて、訪問者の訪問が検知されたことを通知する訪問者通知信号を生成し、
前記送信手段は、前記通知信号生成手段によって生成された訪問者通知信号を無線信号として送信し、
前記受信手段は、他の防犯システムの防犯受信器から無線信号として送信される訪問者通知信号を受信し、
前記制御手段は、前記受信手段によって訪問者通知信号を受信したことに応じて、他の防犯システムにおいて訪問者が訪問したことを報知するよう前記報知手段を制御すること
を特徴とする請求項１記載の近隣連携防犯システム。
【請求項３】
前記防犯システムは、前記検知センサ近傍に設置され、前記検知センサによって検知される何らかの異常状態を撮影し、撮影した映像の映像信号を前記防犯受信器に送信する撮影手段を備え、
前記防犯受信器は、映像信号を映像として表示する表示手段を有し、
前記送信手段は、前記検知センサによって送信される検知信号を受信したことに応じて、前記異常状態通知信号とともに前記映像信号を無線信号として送信し、
前記受信手段は、他の防犯システムの防犯受信器から無線信号として送信される異常状態通知信号と映像信号とを受信し、
前記制御手段は、前記受信手段によって映像信号を受信したことに応じて、前記映像信号を映像として表示するよう前記表示手段を制御すること
を特徴とする請求項１記載の近隣連携防犯システム。
【請求項４】
前記防犯システムの防犯受信器間で送受信される無線信号を中継する中継装置を備えること
を特徴とする請求項１乃至請求項３のいずれか１項に記載の近隣連携防犯システム。
【請求項５】
何らかの異常状態を検知したことに応じて、検知信号を無線信号として送信する検知センサと、前記検知センサによって送信される検知信号を受信したことに応じて異常状態となったことを報知手段を介して報知する防犯受信器とを備え、それぞれ所定の距離内に存在し、防犯対象となる建物を含む所定の防犯領域内にそれぞれ設置される複数の防犯システムからなる近隣連携防犯システムの前記防犯受信器であって、
前記検知センサによって送信される検知信号を受信したことに応じて、何らかの異常状態が検知されたことを通知する異常状態通知信号を生成する通知信号生成手段と、
前記通知信号生成によって生成された異常状態通知信号を無線信号として送信する送信手段と、
他の防犯システムの防犯受信器から無線信号として送信される異常状態通知信号を受信する受信手段と、
前記受信手段によって異常状態通知信号を受信したことに応じて、他の防犯システムにおいて何らかの異常状態が発生したことを報知するよう前記報知手段を制御する制御手段とを有すること
を特徴とする防犯受信器。
【発明の詳細な説明】
【技術分野】
【０００１】
本発明は、何らかの異常状態を検知し、検知結果に応じて近隣住人により連携を図りながら防犯処理を実行する近隣連携防犯システム及び防犯受信器に関する。
【背景技術】
【０００２】
外部から建物内への不法な侵入を防止するために、扉、窓などに設置した検知センサと、侵入を検知した検知センサから送信されるワイヤレス信号を受信して警報を発する防犯受信器とを備えた防犯システムが考案されている。
【０００３】
このような防犯システムは、住人の在宅を前提として警報を発しているため、住人不在時において効果を奏することができないといった問題があった。そこで、侵入の検知の対象となる建物の外に警報ベルを設置して、検知センサによる検知に応じて近隣住人へ報知するようにしたり、遠隔地へ通報することができる通報器を設置して、検知センサによる検知に応じて携帯電話などを介して不在中の住人に通報することなどで対応していた。
【０００４】
しかしながら、建物の外に設置した警報ベルは、目に付きやすいため、不法な侵入者による破壊行為などにより、容易に機能を停止させられてしまうという問題がある。また、携帯電話などを介して通報器による通報を受けたとしても、住人が遠隔地にいる場合には直接対応することもできず、警察などに通報したとしてもタイムロスがあり迅速に対処することができないといった問題がある。
【０００５】
このような問題を解決するために、検知センサによる検知に応じて、宅内サーバから中央サーバを介して侵入の検知の対象となる建物の近隣に住む住人宅にメッセージを送信することで、住人不在に対応するようにした防災システムが考案されている（例えば、特許文献１参照。）。
【特許文献１】特開２００４−２７２７６３号公報
【発明の開示】
【発明が解決しようとする課題】
【０００６】
しかしながら、特許文献１で開示された手法では、当該防災システムを利用するにあたり、自身以外にも近隣に住む住人も中央サーバに対して利用登録をする必要があるため設定が煩雑であり、電話回線を利用した通信を行うなど非常に大掛かりなシステム構成となってしまうといった問題がある。
【０００７】
そこで、本発明は、上述した実情に鑑みて提案されたものであり、煩雑な設定を要求されることなく、非常に簡便な構成にて近隣に住む住人と連携を図り、何らかの異常が発生したことを近隣に住む住人に対して確実に通知することができる近隣連携防犯システム及び防犯受信器を提供することを目的とする。
【課題を解決するための手段】
【０００８】
本発明の近隣連携防犯システムは、何らかの異常状態を検知したことに応じて、検知信号を無線信号として送信する検知センサと、前記検知センサによって送信される検知信号を受信したことに応じて異常状態となったことを報知手段を介して報知する防犯受信器とを備え、それぞれ所定の距離内に存在し、防犯対象となる建物を含む所定の防犯領域内にそれぞれ設置される複数の防犯システムからなる近隣連携防犯システムであって、前記防犯システムの防犯受信器は、前記検知センサによって送信される検知信号を受信したことに応じて、何らかの異常状態が検知されたことを通知する異常状態通知信号を生成する通知信号生成手段と、前記通知信号生成によって生成された異常状態通知信号を無線信号として送信する送信手段と、他の防犯システムの防犯受信器から無線信号として送信される異常状態通知信号を受信する受信手段と、前記受信手段によって異常状態通知信号を受信したことに応じて、他の防犯システムにおいて何らかの異常状態が発生したことを報知するよう前記報知手段を制御する制御手段とを有する。
【０００９】
また、本発明の近隣連携防犯システムは、前記防犯システムが、建物内と外部環境とを隔てるドア近傍に設置され、訪問者による操作に応じて訪問者が訪問したことを検知した訪問者検知信号を前記防犯受信器に送信するドアホンを備え、前記通知信号生成手段は、前記ドアホンによって送信される訪問者検知信号を受信したことに応じて、訪問者の訪問が検知されたことを通知する訪問者通知信号を生成し、前記送信手段は、前記通知信号生成手段によって生成された訪問者通知信号を無線信号として送信し、前記受信手段は、他の防犯システムの防犯受信器から無線信号として送信される訪問者通知信号を受信し、前記制御手段は、前記受信手段によって訪問者通知信号を受信したことに応じて、他の防犯システムにおいて訪問者が訪問したことを報知するよう前記報知手段を制御する。
【００１０】
また、本発明の近隣連携防犯システムは、前記防犯システムが、前記検知センサ近傍に設置され、前記検知センサによって検知される何らかの異常状態を撮影し、撮影した映像の映像信号を前記防犯受信器に送信する撮影手段を備え、前記防犯受信器は、映像信号を映像として表示する表示手段を有し、前記送信手段は、前記検知センサによって送信される検知信号を受信したことに応じて、前記異常状態通知信号とともに前記映像信号を無線信号として送信し、前記受信手段は、他の防犯システムの防犯受信器から無線信号として送信される異常状態通知信号と映像信号とを受信し、前記制御手段は、前記受信手段によって映像信号を受信したことに応じて、前記映像信号を映像として表示するよう前記表示手段を制御する。
【００１１】
また、本発明の近隣連携防犯システムは、前記防犯システムの防犯受信器間で送受信される無線信号を中継する中継装置を備える。
【００１２】
本発明の防犯受信器は、何らかの異常状態を検知したことに応じて、検知信号を無線信号として送信する検知センサと、前記検知センサによって送信される検知信号を受信したことに応じて異常状態となったことを報知手段を介して報知する防犯受信器とを備え、それぞれ所定の距離内に存在し、防犯対象となる建物を含む所定の防犯領域内にそれぞれ設置される複数の防犯システムからなる近隣連携防犯システムの前記防犯受信器であって、前記検知センサによって送信される検知信号を受信したことに応じて、何らかの異常状態が検知されたことを通知する異常状態通知信号を生成する通知信号生成手段と、前記通知信号生成によって生成された異常状態通知信号を無線信号として送信する送信手段と、他の防犯システムの防犯受信器から無線信号として送信される異常状態通知信号を受信する受信手段と、前記受信手段によって異常状態通知信号を受信したことに応じて、他の防犯システムにおいて何らかの異常状態が発生したことを報知するよう前記報知手段を制御する制御手段とを有する。
【発明の効果】
【００１３】
本発明によれば、煩雑な設定を要求されることなく、非常に簡便な構成にて近隣に住む住人と連携を図り、何からの異常が発生したことを近隣に住む住人に対して確実に通知することを可能とする。
【００１４】
また、本発明によれば、不当に侵入を図ろうとする可能性のある訪問者が訪問してきた場合であっても、迅速に対応することができるため、近隣住人同士の地域監視による防犯対策を促進することを可能とする。
【００１５】
また、本発明によれば、何らかの異常が発生した様子を映像により視覚的にユーザに提示できるため、侵入者であるかどうかの見極めが容易となるため、警察などへの通報を確実かつ迅速に行うことを可能とする。
【００１６】
さらに、本発明によれば、当該近隣連携防犯システムを構成する防犯システムを増やすことができるため、より多くの防犯システム同士の連携を図ることを可能とする。
【発明を実施するための最良の形態】
【００１７】
以下、本発明の実施の形態について図面を参照して説明する。
【００１８】
［第１の実施の形態］
まず、図１を用いて、本発明の第１の実施の形態として示す近隣連携防犯システム１について説明をする。
【００１９】
〔近隣連携防犯システム１の構成〕
図１に示すように、近隣連携防犯システム１は、それぞれ所定の距離内に存在し、防犯対象となる建物を含む所定の防犯領域内にそれぞれ設置される複数の防犯システム、例えば、防犯システム１Ａ、１Ｂからなる。なお、図１では、説明のため、近隣連携防犯システム１の防犯システムとして、防犯システム１Ａ、１Ｂのみを記載しているが、本発明はこれに限定されるものではなく、さらに防犯システムを備えるようにしてもよい。
【００２０】
防犯システム１Ａは、それぞれ複数の検知センサ１０Ａｎ（ｎは、自然数）と、検知センサ１０Ａｎと所定の周波数帯域を利用して無線通信することができる防犯受信器２０Ａとを備えている。同様に、防犯システム１Ｂも、それぞれ複数の検知センサ１０Ｂｎ（ｎは、自然数）と、検知センサ１０Ｂｎと所定の周波数帯域を利用して無線通信することができる防犯受信器２０Ｂとを備えている。
【００２１】
なお、検知センサ１０Ａｎ、１０Ｂｎ、防犯受信器２０Ａ、２０Ｂは、それぞれ全く同一の構成であるため、防犯システム１Ａ、１Ｂも全く同一の構成となっている。
【００２２】
近隣連携防犯システム１は、防犯システム１Ａ、１Ｂの防犯受信器２０Ａ、２０Ｂ同士が無線通信をすることができる通信範囲内で有効となっており、この通信範囲内を近隣と定義する。
【００２３】
また、図１に示すように、近隣連携防犯システム１は、防犯受信器２０Ａ、２０Ｂの無線通信を中継する中継装置５を設けることもできる。このような中継装置５を設けると、防犯受信器２０Ａ、２０Ｂ間の通信距離を拡張することができるため、近隣連携防犯システム１の防犯システム１Ａ、１Ｂの設置する近隣の定義を広げることができる。このような中継装置５を設けると、近隣連携防犯システム１を構成する防犯システムを増やすことができるため、より多くの防犯システム同士の連携を図ることができる。
【００２４】
続いて、図１を用いて、防犯システム１Ａの構成について説明をする。防犯システム１Ｂについては、上述したように防犯システム１Ａと全く同様の構成であるため説明を省略する。また、説明のため、検知センサ１０Ａｎ、１０Ｂｎ、防犯受信器２０Ａ、２０Ｂを総称する場合には、それぞれ検知センサ１０ｎ、防犯受信器２０と呼ぶ。
【００２５】
まず、検知センサ１０Ａｎの構成について説明をする。検知センサ１０Ａｎは、防犯受信器２０Ａに無線信号を送信するアンテナ１１、無線送信部１２と、送信するデータに基づき所定の周波数の搬送波を変調する変調部１３と、当該検知センサ１０Ａｎを統括的に制御する信号処理部１４と、少なくとも当該検知センサ１０Ａｎを一意に特定するセンサ識別情報を記憶しているデータ記憶部１５と、侵入者を検知するセンサ部１６とを備えている。
【００２６】
このような構成の検知センサ１０Ａｎは、小型形状をしており電池などの電源を内蔵しているため、住宅をはじめとする様々な建物内外のあらゆる場所に設置可能となっている。検知センサ１０Ａｎが設置される場所は、センサ部１６のセンシング方式によって決定される。
【００２７】
センサ部１６は、防犯システム１Ａで防犯管理している建物内、建物周囲領域内へ不当に侵入した侵入者の存在といった、管理管轄領域内での何らかの異常状態を検知することができるセンサであり、例えば、窓や扉（ドア）の開閉を検知することで侵入者の存在を間接的に検知するマグネットセンサ（開閉センサ）や、物体の温度と人の温度との温度差を検出することで侵入者の存在を直接的に検知する熱線センサなどを利用することができる。
【００２８】
このように、検知センサ１０Ａｎは、センサ部１６としてマグネットセンサが使用されている場合には、窓や扉（ドア）などに設置され、熱線センサが使用されている場合には、建物の壁や天井などに設置されることになる。
【００２９】
信号処理部１４は、センサ部１６によって、防犯システム１Ａの管理管轄領域内へ不当に侵入した侵入者の存在が検知されたことに応じて、データ記憶部１５に記憶されている当該検知センサ１０Ａｎを一意に特定するセンサ識別情報を読み出し、無線送信部１２、変調部１３を制御して、読み出したセンサ識別情報を添付した無線信号である検知信号をアンテナ１１を介して防犯受信器２０Ａに送信する。
【００３０】
続いて、防犯受信器２０Ａの構成について説明をする。図１に示すように、防犯受信器２０Ａは、防犯システム１Ｂの防犯受信器２０Ｂに無線信号を送信し、検知センサ１０Ａｎから送信される無線信号、防犯システム１Ｂの防犯受信器２０Ｂから送信される無線信号を受信するアンテナ２１、無線送受信部２２と、送信するデータに基づき所定の周波数の搬送波を変調し、受信した無線信号に変調されているデータを復調して取り出す変復調部２３と、当該防犯受信器２０Ａを統括的に制御する信号処理部２４と、防犯システム１Ａを構成する全ての検知センサ１０Ａｎのセンサ識別情報、近隣連携防犯システム１を構成する全ての防犯受信器２０を一意に特定する受信器識別情報を記憶したデータ記憶部２５と、当該防犯受信器２０Ａの各種機能を操作するための例えば、押下ボタンなどである操作部２６と、表示部２７と、検知センサ１０Ａｎから送信される検知信号を受信したこと、または、防犯システム１Ｂの防犯受信器２０Ｂから送信される異常状態通知信号を受信したことに応じて鳴動し、周囲にいる人に対して、侵入者が検知されたことを報知する音響部２８とを備える。
【００３１】
このような構成の防犯受信器２０Ａは、検知センサ１０Ａｎに較べて大型な装置となっており、例えば、建物内の所定の場所に、表示部２７を視認し易く、操作部２６を操作し易い位置に固定的に設置されることになる。したがって、電源は、固定電源を使用する。
【００３２】
信号処理部２４は、検知センサ１０Ａｎから送信され、アンテナ２１、無線送受信部２２を介して検知信号が受信されたことに応じて、変復調部２３で復調された検知信号に添付されているセンサ識別情報と、データ記憶部２５に記憶されている検知センサ１０Ａｎを一意に特定するセンサ識別情報とを比較し、対応付けて記憶されている情報を読み出すとともに、当該防犯受信器２０Ａに登録されている検知センサ１０Ａｎであることが特定されたことに応じて、音響部２８を鳴動させる。そして、信号処理部２４は、読み出した情報で特定される侵入者が検知された検知エリアを表示部２７を介してユーザに提示するよう制御する。
【００３３】
防犯受信器２０Ａは、検知エリア毎に非警戒モード、在宅警戒モードといった防犯受信器２０の動作モードである監視モードを設定することができる。例えば、検知エリアを非警戒モードに設定すると、この検知エリアに設置された検知センサ１０Ａｎから送信される検知信号を受信したとしても報知、通報がなされない。また、検知エリアを在宅警戒モードにすると、この検知エリアに設置された検知センサ１０Ａｎから送信される検知信号を受信したことに応じて、音響部２８、表示部２７でそれぞれ警報音（警報メッセージ）の発報や、警報表示（例えば、赤色ランプ点灯）がなされる。
【００３４】
さらに、防犯受信器２０Ａの監視モードには、ユーザの外出時といった不在時において設定することができる外出警戒モードがある。防犯受信器２０Ａを外出警戒モードに設定すると、当該防犯受信器２０Ａの信号処理部２４は、検知センサ１０Ａｎによって送信される検知信号を受信したことに応じて、データ記憶部２５に記憶された自身を一意に特定する受信器識別情報と、検知信号から取り出したセンサ識別情報とを添付した無線信号である異常状態通知信号を生成して、近隣連携防犯システムを構成する他の防犯システム、例えば、防犯システム１Ｂの防犯受信器２０Ｂに送信する。
【００３５】
また、防犯受信器２０Ａの信号処理部２４は、他の防犯システムである、例えば、防犯システム１Ｂの防犯受信器２０Ｂから送信される異常状態通知信号を受信したことに応じて、音響部２８、表示部２７で、それぞれ警報音（警報メッセージ）の発報や、警報表示（例えば、赤色ランプ点灯）をするように制御する。
【００３６】
データ記憶部２５は、防犯システム１Ａを構成する検知センサ１０Ａｎの全てのセンサ識別情報を、検知センサ１０Ａｎを設置した検知エリアを特定することができる情報に対応付けて記憶している。検知エリアを特定することができる情報は、例えば、検知エリアと対応付けられた発光ランプである表示部２７を特定する情報であったり、液晶ディスプレイや発光パネルである表示部２７に表示させるシンボル情報などである。
【００３７】
これにより、検知センサ１０Ａｎから送信された検知信号より取得されるセンサ識別情報から、データ記憶部２５に対応付けられた情報を取得し、表示部２７を介してユーザに提示することで、侵入者が検知された検知エリアを特定することができる。
【００３８】
また、データ記憶部２５は、近隣連携防犯システム１の他の防犯システムである、例えば、防犯システム１Ｂの防犯受信器２０Ｂを一意に特定する受信器識別情報と、防犯システム１Ｂを構成する検知センサ１０Ｂｎの全てのセンサ識別情報とを記憶している。
【００３９】
データ記憶部２５は、防犯システム１Ｂの防犯受信器２０Ｂの受信器識別情報を、防犯システム１Ｂを設置した防犯領域に含まれる防犯対象となる建物を特定することができる情報に対応付けて記憶している。防犯対象となる建物を特定することができる情報は、例えば、建物と対応付けられた発光ランプである表示部２７を特定する情報であったり、液晶ディスプレイや発光パネルである表示部２７に表示させるシンボル情報などである。
【００４０】
さらに、データ記憶部２５は、検知センサ１０Ｂｎの全てのセンサ識別情報を、検知センサ１０Ｂｎを設置した検知エリアを特定することができる情報に対応付けて記憶している。検知エリアを特定することができる情報は、例えば、検知エリアと対応付けられた発光ランプである表示部２７を特定する情報であったり、液晶ディスプレイや発光パネルである表示部２７に表示させるシンボル情報などである。
【００４１】
これにより、検知センサ１０Ｂｎによって送信される検知信号を受信したことに応じて、防犯受信器２０Ｂから送信される異常状態通知信号より取得される、当該防犯受信器２０Ｂを一意に特定する受信器識別情報、検知信号を送信した検知センサ１０Ｂｎを一意に特定するセンサ識別情報からデータ記憶部２５に対応付けられた情報を取得し、表示部２７を介してユーザに提示することで、侵入者が検知された防犯システム１Ｂを設置された防犯領域内における建物、検知エリアを特定することができる。
【００４２】
表示部２７は、例えば、ＬＥＤ（Light Emitting Diode）といった発光素子や、発光ランプなどである。表示部２７は、検知センサ１０Ａｎから送信される無線信号を受信した場合や、防犯受信器２０Ｂから送信される無線信号を受信した場合や、操作部２６が操作された場合に、信号処理部２４による点灯、消灯、点滅制御に応じて表示形態を変えることで、信号受信状況や、操作状況などをユーザに視覚的に提示する。
【００４３】
例えば、検知センサ１０Ａｎから送信される検知信号を受信した場合には、検知センサ１０Ａｎの設置により侵入者を検知することが可能となった検知エリアを特定する発光ランプが点滅し、侵入者の位置をユーザに通知する。
【００４４】
また、例えば、防犯受信器２０Ｂから送信される無線信号を受信した場合には、防犯受信器２０Ｂが設置されている防犯システム１Ｂを特定する発光ランプが点滅するとともに、検知センサ１０Ｂｎの設置により侵入者を検知することが可能となった検知エリアを特定する発光ランプが点滅し、防犯システム１Ｂが設置された防犯領域内における侵入者の位置をユーザに通知する。
【００４５】
表示部２７は、ユーザが一瞥して表示結果を視認することができればどのようなものであってもよく、例えば、赤色光、緑色光、青色光を発光することができるＬＥＤを用い、発光色の組み合わせを変えることで上述した消灯、点灯、点滅と同じように表示形態を変えることもできる。また、このようなＬＥＤばかりではなく、例えば、小型で薄型のＥＬ(Electric Luminescence)発光パネルなどであってもよい。また、表示部２７は、文字情報や画像情報、映像などを表示することができる液晶ディスプレイなどを用いることもできる。
【００４６】
〔近隣連携防犯システム１の処理動作〕
次に、図２に示すタイミングチャートを用いて、近隣連携防犯システム１の処理動作について説明をする。なお、近隣連携防犯システム１の処理動作について説明するにあたり、当該近隣連携防犯システム１は、図１に示すように防犯システム１Ａと防犯システム１Ｂとからなり、防犯システム１Ａと防犯システム１Ｂとが連携を図るように構成されているものとする。また、説明の煩雑さを回避するため、防犯システム１Ａの検知センサ１０Ａｎ、防犯受信器２０Ａの処理動作についてのみ説明をし、全く同様の処理動作となる防犯システム１Ｂの検知センサ１０Ｂｎ、防犯受信器２０Ｂの処理動作の説明を省略するものとする。
【００４７】
ステップＳ１において、防犯受信器２０Ａは、検知センサ１０Ａｎから送信される検知信号を待機するアイドル状態となっている。
【００４８】
ステップＳ２において、検知センサ１０Ａｎは、信号処理部１４の制御によってセンサ部１６に電源供給がなされ、センサ部１６による検知エリア内への侵入者のセンシング機能のみが機能しているアイドル状態となっている。
【００４９】
ステップＳ３において、検知センサ１０Ａｎの信号処理部１４は、センサ部１６によって侵入者が検知されたかどうかを判断する。信号処理部１４は、侵入者が検知された場合には、ステップＳ４へと処理を進める一方、侵入者が検知されなかった場合にはステップＳ２へと処理を戻し、上述したステップＳ２のアイドル状態を継続する。
【００５０】
ステップＳ４において、検知センサ１０Ａｎの信号処理部１４は、センサ部１６によって侵入者が検知されたことに応じて、データ記憶部１５からセンサ識別情報を読み出し、読み出したセンサ識別情報を添付した検知信号を生成して防犯受信器２０Ａに送信する。
【００５１】
ステップＳ５において、防犯受信器２０Ａの信号処理部２４は、検知センサ１０Ａｎから送信された検知信号を受信したかどうかを判断する。信号処理部２４は、検知信号を受信した場合には、ステップＳ６へと処理を進める一方、検知信号を受信しなかった場合にはステップＳ１３へと処理を進める。
【００５２】
ステップＳ６において、防犯受信器２０Ａの信号処理部２４は、当該防犯受信器２０Ａの動作モードである監視モードが警戒モードに設定されているかどうかを判断する。信号処理部２４は、警戒モードに設定されている場合は、ステップＳ７へと処理を進める一方、非警戒モードに設定されている場合には、ステップＳ１３へと処理を進める。
【００５３】
ステップＳ７において、防犯受信器２０Ａの信号処理部２４は、設定されている警戒モードが外出警戒モードであるかどうかを判断する。信号処理部２４は、外出警戒モードに設定されている場合には、ステップＳ１０へと処理を進める一方、外出警戒モードに設定されずに在宅警戒モードに設定されている場合には、ステップＳ８へと処理を進める。
【００５４】
ステップＳ８、Ｓ９において、防犯受信器２０Ａの信号処理部２４は、検知信号を受信したことに応じて、在宅警戒モードに応じた動作を実行する。
【００５５】
まず、ステップＳ８において、信号処理部２４は、検知信号を受信したことに応じて、音響部２８を制御し、警報音を鳴動させるように制御する。
【００５６】
続いて、ステップＳ９において、信号処理部２４は、検知信号を受信したことに応じて、検知信号に添付されているセンサ識別情報を取得し、取得したセンサ識別情報に対応付けられた検知エリアを特定する情報をデータ記憶部２５から読み出して表示部２７を介して表示し、ユーザに提示する。
【００５７】
ステップＳ１０、Ｓ１１、Ｓ１２において、防犯受信器２０Ａの信号処理部２４は、検知信号を受信したことに応じて、外出警戒モードに応じて動作を実行する。
【００５８】
まず、ステップＳ１０において、信号処理部２４は、検知信号を受信したことに応じて、音響部２８を制御し、警報音を鳴動させるように制御する。
【００５９】
そして、ステップＳ１１において、信号処理部２４は、検知信号を受信したことに応じて、検知信号に添付されているセンサ識別情報を取得し、取得したセンサ識別情報に対応付けられた検知エリアを特定する情報をデータ記憶部２５から読み出して表示部２７を介して表示し、ユーザに提示する。
【００６０】
さらに、ステップＳ１２において、信号処理部２４は、データ記憶部２５に記憶された自身を一意に特定する受信器識別情報と、検知信号から取り出したセンサ識別情報とを添付した無線信号である異常状態通知信号を生成して、近隣連携防犯システム１を構成する他の防犯システム、例えば、防犯システム１Ｂの防犯受信器２０Ｂに送信する。
【００６１】
この異常状態通知信号を受信した防犯システム１Ｂの防犯受信器２０Ｂは、以下に示すステップＳ１４、Ｓ１５と全く同様の処理動作を実行することで、防犯システム１Ａの設置された防犯領域において何らかの異常状態が発生したことを報知し、近隣住人に対して通知することができる。
【００６２】
ステップＳ１３において、防犯受信器２０Ａの信号処理部２４は、防犯システム１Ｂの防犯受信器２０Ｂから送信される異常状態通知信号を受信したかどうかを判断する。信号処理部２４は、異常状態通知信号を受信した場合には、ステップＳ１４へと処理を進める一方、異常状態通知信号を受信しなかった場合には、ステップＳ１へと処理を戻し、上述したアイドル状態を継続する。
【００６３】
ステップＳ１４、Ｓ１５において、防犯受信器２０Ａの信号処理部２４は、防犯システム１Ｂの防犯受信器２０Ｂから送信される異常状態通知信号を受信したことに応じた所定の動作を実行する。
【００６４】
まず、ステップＳ１４において、信号処理部２４は、異常状態通知信号を受信したことに応じて、音響部２８を制御し、警報音を鳴動させるように制御する。
【００６５】
そして、ステップＳ１５において、信号処理部２４は、異常状態通知信号に添付されている防犯受信器２０Ｂを一意に特定する受信器識別情報と、検知センサ１０Ｂｎを一意に特定するセンサ識別情報を取得する。信号処理部２４は、取得した受信器識別情報に対応付けられた防犯システム１Ｂを設置した防犯領域に含まれる防犯対象となる建物を特定する情報と、取得したセンサ識別情報に対応付けられた検知エリアを特定する情報をデータ記憶部２５から読み出して表示部２７を介して表示し、ユーザに提示する。
【００６６】
これにより、防犯システム１Ａの防犯受信器２０Ａの信号処理部２４は、監視モードが外出警戒モードに設定されている場合に、検知センサ１０Ａｎによって何らかの異常状態を検知したことに応じて、異常状態通知信号を他の防犯システムである防犯システム１Ｂの防犯受信器２０Ｂに送信して、当該防犯システム１Ａが設置された防犯領域内において何らかの異常状態が発生したことを近隣住人に対して通知することができる。
【００６７】
また、防犯システム１Ａの防犯受信器２０Ａの信号処理部２４は、他の防犯システムである防犯システム１Ｂの防犯受信器２０Ｂから送信された異常状態通知信号を受信したことに応じて、防犯システム１Ｂが設置された防犯領域内において何らかの異常状態が発生したことを住人に対して通知することができる。
【００６８】
このように、近隣連携防犯システム１は、各防犯領域内に設置した防犯システム１Ａ、１Ｂの防犯受信器２０Ａ、２０Ｂ同士で無線通信をすることで連携を図ることができるため、中央サーバのようなサーバ装置を用意し、このサーバ装置に対して初期登録を行うなど煩雑な設定を要求されることなく、電話回線などを使用することのない非常に簡便な構成にて近隣に住む住人と連携を図り、何からの異常が発生したことを近隣に住む住人に対して確実に通知することができる。
【００６９】
［第２の実施の形態］
続いて、図３を用いて、本発明の第２の実施の形態として示す近隣連携防犯システム２について説明をする。
【００７０】
〔近隣連携防犯システム２の構成〕
近隣連携防犯システム２は、図１を用いて説明した近隣連携防犯システム１の防犯システム１Ａ、１Ｂの防犯受信器２０Ａ、２０Ｂにそれぞれドアホン３０Ａ、３０Ｂが接続された構成となっている。なお、ドアホン３０Ａ、３０Ｂは、全く同様の構成であるため、説明の煩雑さを避けるため、以下において、ドアホン３０Ａについてのみ説明をし、ドアホン３０Ｂについての説明を省略する。
【００７１】
ドアホン３０Ａは、訪問者によって操作される操作部３１と、信号処理部３２とを備え、防犯システム１Ａの防犯対象である建物内外を隔てるドアの建物外におけるドア近傍位置や、防犯対象である建物が建てられた防犯領域内外を隔てる門扉の防犯領域外における門扉近傍位置に設置される。
【００７２】
このようなドアホン３０Ａは、訪問者による操作部３１の操作に応じて、信号処理部３２の制御により、建物内に設置された呼び出し音を鳴動する図示しない鳴動装置を動作させ、建物内にいる住人を呼び出すことができる。なお、この呼び出し音を鳴動する装置は、防犯受信器２０Ａで代用するようにしてもよい。
【００７３】
また、信号処理部３２は、訪問者による操作部３１の操作に応じて、訪問者が訪問した旨を伝える訪問者検知信号を生成し、防犯受信器２０Ａの信号処理部２４に送信する。
【００７４】
このドアホン３０Ａの信号処理部３２によって生成される訪問者検知信号は、操作部３１の操作に応じて、不当に侵入を図ろうとする可能性のある訪問者の訪問を検知していると考えることができる。したがって、ドアホン３０Ａは、何らかの異常状態が検知された場合に検知信号を防犯受信器２０Ａに送信する検知センサ１０Ａｎと同等の機能を有しているといえる。
【００７５】
防犯受信器２０Ａの信号処理部２４は、ドアホン３０Ａから送信された訪問者検知信号を受信したことに応じて、データ記憶部２５に記憶された自身を一意に特定する受信器識別情報を添付した無線信号である訪問者通知信号を生成して、近隣連携防犯システムを構成する他の防犯システム、例えば、防犯システム１Ｂの防犯受信器２０Ｂに送信する。
【００７６】
また、防犯受信器２０Ａの信号処理部２４は、他の防犯システムである、例えば、防犯システム１Ｂの防犯受信器２０Ｂから送信される訪問者通知信号を受信したことに応じて、音響部２８、表示部２７で、それぞれ報知音（報知メッセージ）の発報や、報知表示（例えば、緑色ランプ点灯）をするように制御する。
【００７７】
〔近隣連携防犯システム２の処理動作〕
次に、図４に示すタイミングチャートを用いて、近隣連携防犯システム２の処理動作について説明をする。なお、近隣連携防犯システム２の処理動作について説明するにあたり、当該近隣連携防犯システム２は、図３に示すように防犯システム１Ａと防犯システム１Ｂとからなり、防犯システム１Ａと防犯システム１Ｂとが連携を図るように構成されているものとする。また、説明の煩雑さを回避するため、防犯システム１Ａの検知センサ１０Ａｎ、防犯受信器２０Ａの処理動作についてのみ説明をし、全く同様の処理動作となる防犯システム１Ｂの検知センサ１０Ｂｎ、防犯受信器２０Ｂの処理動作の説明を省略するものとする。
【００７８】
また、図４に示すタイミングチャートは、上述した図２に示すタイミングチャートにステップＳ１６〜ステップＳ２０の処理ステップが付加されただけであるので、ステップＳ１６〜ステップＳ２０の処理ステップのみを説明し、それ以外の処理ステップについては説明を省略する。
【００７９】
まず、ステップＳ１６において、防犯受信器２０Ａの信号処理部２４は、ステップＳ５で検知信号を受信しなかった場合に、ドアホン３０Ａの操作部３１が操作され、信号処理部３２から送信される訪問者検知信号を受信したかどうかを判断する。信号処理部２４は、訪問者検知信号を受信した場合には、ステップＳ１６Ａへと処理を進める一方、訪問者検知信号を受信しなかった場合には、ステップＳ１８へと処理を進める。
【００８０】
ステップＳ１６Ａにおいて、防犯受信器２０Ａの信号処理部２４は、当該防犯受信器２０Ａの動作モードである監視モードが外出警戒モードに設定されているかどうかを判断する。信号処理部２４は、外出警戒モードに設定されている場合には、ステップＳ１７へと処理を進める一方、外出警戒モードに設定されていない場合には、ステップＳ１へと処理を戻し、上述したアイドル状態を継続する。
【００８１】
ステップＳ１７において、防犯受信器２０Ａの信号処理部２４は、データ記憶部２５に記憶された自身を一意に特定する受信器識別情報を添付した無線信号である訪問者通知信号を生成して、近隣連携防犯システム２を構成する他の防犯システム、例えば、防犯システム１Ｂの防犯受信器２０Ｂに送信する。
【００８２】
この訪問者通知信号を受信した防犯システム１Ｂの防犯受信器２０Ｂは、以下に示すステップＳ１９、Ｓ２０と全く同様の処理動作を実行することで、防犯システム１Ａの設置された防犯領域に不当に侵入を図ろうとする可能性のある訪問者が訪問してきたことを報知し、近隣住人に対して通知することができる。
【００８３】
ステップＳ１８において、防犯受信器２０Ａの信号処理部２４は、防犯システム１Ｂの防犯受信器２０Ｂから送信される訪問者通知信号を受信したかどうかを判断する。信号処理部２４は、訪問者通知信号を受信した場合には、ステップＳ１９へと処理を進める一方、訪問者通知信号を受信しなかった場合には、ステップＳ１へと処理を戻し、上述したアイドル状態を継続する。
【００８４】
ステップＳ１９、Ｓ２０において、防犯受信器２０Ａの信号処理部２４は、防犯システム１Ｂの防犯受信器２０Ｂから送信される訪問者通知信号を受信したことに応じた所定の動作を実行する。
【００８５】
まず、ステップＳ１９において、信号処理部２４は、訪問者通知信号を受信したことに応じて、音響部２８を制御し、報知音を鳴動させるように制御する。
【００８６】
そして、ステップＳ２０において、信号処理部２４は、訪問者通知信号に添付されている防犯受信器２０Ｂを一意に特定する受信器識別情報を取得する。信号処理部２４は、取得した受信器識別情報に対応付けられた防犯システム１Ｂを設置した防犯領域に含まれる防犯対象となる建物を特定する情報をデータ記憶部２５から読み出して表示部２７を介して表示し、ユーザに提示する。
【００８７】
これにより、防犯システム１Ａの防犯受信器２０Ａの信号処理部２４は、ドアホン３０Ａの操作部３１を訪問者によって操作されたことに応じて、訪問者通知信号を他の防犯システムである防犯システム１Ｂの防犯受信器２０Ｂに送信して、当該防犯システム１Ａが設置された防犯領域内に不当に侵入を図ろうとする可能性のある訪問者が訪問してきたことを近隣住人に対して通知することができる。
【００８８】
また、防犯システム１Ａの防犯受信器２０Ａの信号処理部２４は、他の防犯システムである防犯システム１Ｂの防犯受信器２０Ｂから送信された訪問者通知信号を受信したことに応じて、防犯システム１Ｂが設置された防犯領域内に不当に侵入を図ろうとする可能性のある訪問者が訪問してきたことを住人に対して通知することができる。
【００８９】
このように、近隣連携防犯システム２は、各防犯領域内に設置した防犯システム１Ａ、１Ｂの防犯受信器２０Ａ、２０Ｂ同士で無線通信をすることで連携を図ることができるため、中央サーバのようなサーバ装置を用意し、このサーバ装置に対して初期登録を行うなど煩雑な設定を要求されることなく、電話回線などを使用することのない非常に簡便な構成にて近隣に住む住人と連携を図り、不当に侵入を図ろうとする可能性のある訪問者が訪問してきたことを近隣に住む住人に対して確実に通知することができる。
【００９０】
これにより、不当に侵入を図ろうとする可能性のある訪問者が訪問してきた場合であっても、迅速に対応することができるため、近隣住人同士の地域監視による防犯対策を促進することができる。
【００９１】
［第３の実施の形態］
続いて、図５を用いて、本発明の第３の実施の形態として示す近隣連携防犯システム３について説明をする。
【００９２】
〔近隣連携防犯システム３の構成〕
近隣連携防犯システム３は、図１を用いて説明した近隣連携防犯システム１の防犯システム１Ａ、１Ｂの防犯受信器２０Ａ、２０Ｂにそれぞれカメラ装置４０Ａ、４０Ｂが接続された構成となっている。なお、カメラ装置４０Ａ、４０Ｂは、全く同様の構成であるため、説明の煩雑さを避けるため、以下において、カメラ装置４０Ａについてのみ説明をし、カメラ装置４０Ｂについての説明を省略する。
【００９３】
カメラ装置４０Ａは、被写体を撮影する撮影装置であり、検知センサ１０Ａｎ近傍の例えば、壁面や天井などに設置され、検知センサ１０Ａｎ近傍の外界の様子を撮影することができる。つまり、カメラ装置４０Ａは、検知センサ１０Ａｎによって検知される何らかの異常状態を撮影することができる。カメラ装置４０Ａは、検知センサ１０Ａｎ近傍の外界の様子を臨機応変に撮影することができるように、ユーザによって撮影方向を任意に調整できるような可動式になっていることが望ましい。なお、カメラ装置４０Ａで撮影される映像は、動画像だけではなく、所定の時間間隔で撮影された静止画像であってもよい。
【００９４】
カメラ装置４０Ａで撮影された映像信号は、防犯受信器２０Ａの信号処理部２４へ送信される。防犯受信器２０Ａの信号処理部２４は、外出警戒モードに設定されている場合に、検知センサ１０Ａｎによって送信される検知信号を受信したことに応じて生成する異常状態通知信号に、送信された映像信号を重畳し、無線信号として他の防犯システムである防犯システム１Ｂに送信するよう制御する。
【００９５】
また、防犯受信器２０Ａの信号処理部２４は、他の防犯システムである防犯システム１Ｂの防犯受信器２０Ｂから送信される映像信号を重畳した異常状態通知信号を受信したことに応じて、重畳された映像信号を復調して、表示部２７を介して表示させるよう制御する。
【００９６】
また、カメラ装置４０Ａを、検知センサ１０Ａｎを内蔵した構成とし、検知センサ１０Ａｎによって何らかの異常状態が検出されたことに応じて、外界の様子を撮影するようにしてもよい。また、このように、カメラ装置４０Ａに検知センサ１０Ａｎを内蔵させた場合、所謂センサライトカメラの様に、センサ検知によって点灯する図示しない不審者威嚇用のライトを備えるようにしてもよい。
【００９７】
また、これに関連して、上述した第２の実施の形態として示す近隣連携防犯システム２において、ドアホン３０Ａに、検知センサ１０Ａｎと、検知センサ１０Ａｎによって何らかの異常状態を検出したことに応じて撮影を開始するようにしたカメラ装置４０Ａを内蔵するようにしてもよい。ドアホン３０Ａに内蔵されたカメラ装置４０Ａで撮影された映像は、防犯システム１Ｂといった近隣の防犯システムに送信されることになる。したがって、例えば、送信された映像中の人物が近所に住む住人などであった場合、わざわざ不審人物であるかどうかを確認するための声かけに出向くという煩わしい行動を回避することができる。
【００９８】
〔近隣連携防犯システム３の処理動作〕
次に、図６に示すタイミングチャートを用いて、近隣連携防犯システム３の処理動作について説明をする。なお、近隣連携防犯システム３の処理動作について説明するにあたり、当該近隣連携防犯システム３は、図５に示すように防犯システム１Ａと防犯システム１Ｂとからなり、防犯システム１Ａと防犯システム１Ｂとが連携を図るように構成されているものとする。また、説明の煩雑さを回避するため、防犯システム１Ａの検知センサ１０Ａｎ、防犯受信器２０Ａの処理動作についてのみ説明をし、全く同様の処理動作となる防犯システム１Ｂの検知センサ１０Ｂｎ、防犯受信器２０Ｂの処理動作の説明を省略するものとする。
【００９９】
また、図６に示すタイミングチャートは、上述した図２に示すタイミングチャートのステップＳ８〜ステップＳ１５の処理ステップに替えてステップＳ２１〜ステップＳ３０の処理ステップを付加しただけであるので、ステップＳ２１〜ステップＳ３０の処理ステップのみを説明し、それ以外の処理ステップについては説明を省略する。
【０１００】
ステップＳ２１、Ｓ２２、Ｓ２３において、防犯受信器２０Ａの信号処理部２４は、検知信号を受信したことに応じて、在宅警戒モードに応じた動作を実行する。
【０１０１】
まず、ステップＳ２１において、防犯受信器２０Ａの信号処理部２４は、検知センサ１０Ａｎによって送信される検知信号を受信したことに応じて、カメラ装置４０Ａで撮影され送信された映像信号を取得する。
【０１０２】
次に、ステップＳ２２において、信号処理部２４は、検知信号を受信したことに応じて、音響部２８を制御し、警報音を鳴動させるように制御する。
【０１０３】
続いて、ステップＳ２３において、信号処理部２４は、検知信号を受信したことに応じて、検知信号に添付されているセンサ識別情報を取得し、取得したセンサ識別情報に対応付けられた検知エリアを特定する情報をデータ記憶部２５から読み出して表示部２７を介して表示し、ユーザに提示する。さらに、信号処理部２４は、ステップＳ２１で取得した映像信号を表示部２７を介して映像として表示し、ユーザに提示する。
【０１０４】
ステップＳ２４、Ｓ２５、Ｓ２６、Ｓ２７において、防犯受信器２０Ａの信号処理部２４は、検知信号を受信したことに応じて、外出警戒モードに応じて動作を実行する。
【０１０５】
まず、ステップＳ２４において、防犯受信器２０Ａの信号処理部２４は、検知センサ１０Ａｎによって送信される検知信号を受信したことに応じて、カメラ装置４０Ａで撮影され送信された映像信号を取得する。
【０１０６】
次に、ステップＳ２５において、信号処理部２４は、検知信号を受信したことに応じて、音響部２８を制御し、警報音を鳴動させるように制御する。
【０１０７】
そして、ステップＳ２６において、信号処理部２４は、検知信号を受信したことに応じて、検知信号に添付されているセンサ識別情報を取得し、取得したセンサ識別情報に対応付けられた検知エリアを特定する情報をデータ記憶部２５から読み出して表示部２７を介して表示し、ユーザに提示する。さらに、信号処理部２４は、ステップＳ２４で取得した映像信号を表示部２７を介して映像として表示し、ユーザに提示する。
【０１０８】
さらに、ステップＳ２７において、信号処理部２４は、データ記憶部２５に記憶された自身を一意に特定する受信器識別情報と、検知信号から取り出したセンサ識別情報とを添付し、ステップＳ２４で取得した映像信号を重畳した無線信号である異常状態通知信号を生成して、近隣連携防犯システム３を構成する他の防犯システム、例えば、防犯システム１Ｂの防犯受信器２０Ｂに送信する。
【０１０９】
この異常状態通知信号を受信した防犯システム１Ｂの防犯受信器２０Ｂは、以下に示すステップＳ２９、Ｓ３０と全く同様の処理動作を実行することで、防犯システム１Ａの設置された防犯領域において何らかの異常状態が発生したこととを報知するとともに、その様子を撮影した映像を表示させることで、近隣住人に対して通知することができる。
【０１１０】
ステップＳ２８において、防犯受信器２０Ａの信号処理部２４は、防犯システム１Ｂの防犯受信器２０Ｂから送信される映像信号を重畳された異常状態通知信号を受信したかどうかを判断する。信号処理部２４は、異常状態通知信号を受信した場合には、ステップＳ２９へと処理を進める一方、異常状態通知信号を受信しなかった場合には、ステップＳ１へと処理を戻し、上述したアイドル状態を継続する。
【０１１１】
ステップＳ２９、Ｓ３０において、防犯受信器２０Ａの信号処理部２４は、防犯システム１Ｂの防犯受信器２０Ｂから送信される映像信号を重畳した異常状態通知信号を受信したことに応じた所定の動作を実行する。
【０１１２】
まず、ステップＳ２９において、信号処理部２４は、異常状態通知信号を受信したことに応じて、音響部２８を制御し、警報音を鳴動させるように制御する。
【０１１３】
そして、ステップＳ３０において、信号処理部２４は、異常状態通知信号に添付されている防犯受信器２０Ｂを一意に特定する受信器識別情報と、検知センサ１０Ｂｎを一意に特定するセンサ識別情報を取得する。信号処理部２４は、取得した受信器識別情報に対応付けられた防犯システム１Ｂを設置した防犯領域に含まれる防犯対象となる建物を特定する情報と、取得したセンサ識別情報に対応付けられた検知エリアを特定する情報をデータ記憶部２５から読み出して表示部２７を介して表示し、ユーザに提示する。また、信号処理部２４は、異常状態通知信号に重畳されている映像信号を復調して表示部２７を介して表示し、ユーザに提示する。
【０１１４】
これにより、防犯システム１Ａの防犯受信器２０Ａの信号処理部２４は、監視モードが外出警戒モードに設定されている場合に、検知センサ１０Ａｎによって何らかの異常状態を検知したことに応じて、異常状態の様子を撮影した映像信号を重畳した異常状態通知信号を他の防犯システムである防犯システム１Ｂの防犯受信器２０Ｂに送信して、当該防犯システム１Ａが設置された防犯領域内において何らかの異常状態が発生したことを、異常状態の様子を撮影した映像とともに近隣住人に対して通知することができる。
【０１１５】
また、防犯システム１Ａの防犯受信器２０Ａの信号処理部２４は、他の防犯システムである防犯システム１Ｂの防犯受信器２０Ｂから送信された、異常状態の様子を撮影した映像信号を重畳された異常状態通知信号を受信したことに応じて、防犯システム１Ｂが設置された防犯領域内において何らかの異常状態が発生したことを、異常状態の様子を撮影した映像とともに住人に対して通知することができる。
【０１１６】
このように、近隣連携防犯システム３は、各防犯領域内に設置した防犯システム１Ａ、１Ｂの防犯受信器２０Ａ、２０Ｂ同士で無線通信をすることで連携を図ることができるため、中央サーバのようなサーバ装置を用意し、このサーバ装置に対して初期登録を行うなど煩雑な設定を要求されることなく、電話回線などを使用することのない非常に簡便な構成にて近隣に住む住人と連携を図り、何からの異常が発生したことを近隣に住む住人に対して確実に通知することができる。このとき、何らかの異常が発生した様子を映像により視覚的にユーザに提示できるため、侵入者であるかどうかの見極めが容易となるため、警察などへの通報を確実かつ迅速に行うことができる。
【０１１７】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【図面の簡単な説明】
【０１１８】
【図１】本発明の第１の実施の形態として示す近隣連携防犯システムの構成について説明するための図である。
【図２】前記近隣連携防犯システムの処理動作について説明するためのタイミングチャートである。
【図３】本発明の第２の実施の形態として示す近隣連携防犯システムの構成について説明するための図である。
【図４】前記近隣連携防犯システムの処理動作について説明するためのタイミングチャートである。
【図５】本発明の第３の実施の形態として示す近隣連携防犯システムの構成について説明するための図である。
【図６】前記近隣連携防犯システムの処理動作について説明するためのタイミングチャートである。
【符号の説明】
【０１１９】
１  近隣連携防犯システム
１Ａ  防犯システム
１Ｂ  防犯システム
２  近隣連携防犯システム
３  近隣連携防犯システム
５  中継装置
１０Ａｎ  検知センサ
１０Ｂｎ  検知センサ
１０ｎ  検知センサ
２０  防犯受信器
２０Ａ  防犯受信器
２０Ｂ  防犯受信器
２４  信号処理部
２５  データ記憶部
２７  表示部
２８  音響部
３０Ａ  ドアホン
３０Ｂ  ドアホン
３１  操作部
３２  信号処理部
４０Ａ  カメラ装置
４０Ｂ  カメラ装置
【図１】
2008269500.tif 000003
【図２】
2008269500.tif 000004
【図３】
2008269500.tif 000005
【図４】
2008269500.tif 000006
【図５】
2008269500.tif 000007
【図６】
2008269500.tif 000008